【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
ＡＶソース再生装置から無線により送信された符号化映像信号及び音声信号を無線送受信アダプタを介して受信可能な映像表示装置において、前記映像表示装置は、受信した映像信号と音声信号を復号化する復号化処理手段と、復号化された音声信号をリアルタイムで符号化するリアルタイム符号化手段と、リアルタイム符号化手段により符号化された音声信号を、前記ＡＶソース再生装置に無線により送信するループバック送信手段とを備えていることを特徴とする映像表示装置。
【請求項２】
前記映像表示装置は音声出力部を備えると共に、受信し復号化されたディジタル音声信号を、前記音声出力部を介して出力するか、前記リアルタイム符号化手段により符号化し前記ループバック送信手段を介して前記ＡＶソース再生装置に出力するか、を切換える第一スイッチを備えていることを特徴とする請求項１に記載の映像表示装置。
【請求項３】
前記映像表示装置は音声出力部を備えると共に、受信し復号化されＤ／Ａ変換されたアナログ音声信号を、前記音声出力部を介して出力するか、前記リアルタイム符号化手段により符号化し前記ループバック送信手段を介して前記ＡＶソース再生装置に出力するか、を切換える第二スイッチを備えていることを特徴とする請求項１に記載の映像表示装置。
【請求項４】
前記第一スイッチ又は第二スイッチの切換えを制御する制御部と、該切換えを自動で行うか手動で行うかを切換えることのできる自動／手動切換えスイッチと、前記無線送受信アダプタと映像表示装置が接続されているかどうかを判断する無線アダプタ装着検出部とを備えていることを特徴とする請求項２または請求項３記載の映像表示装置。
【請求項５】
前記第一スイッチまたは第二スイッチの切換えを行うための手動切換え手段を備えていることを特徴とする請求項４に記載の映像表示装置。
【請求項６】
前記無線アダプタ装着検出部において、前記無線送受信アダプタと映像表示装置が接続されていないと判断された場合、前記第一スイッチ又は第二スイッチが、音声信号を音声出力部に出力するように切換制御されることを特徴とする請求項４または請求項５記載の映像表示装置。
【請求項７】
前記無線送受信アダプタとＡＶソース再生装置とのリンクが確立されておらず、且つ前記無線アダプタ装着検出部において、前記無線送受信アダプタと映像表示装置が接続されていると判断された場合、前記第一スイッチ又は第二スイッチが、音声信号を音声出力部に出力するように切換制御されることを特徴とする請求項４乃至請求項６の何れか１項に記載の映像表示装置。
【請求項８】
前記無線送受信アダプタとＡＶソース再生装置とのリンクが確立されており、且つ前記無線アダプタ装着検出部において、上記無線送受信アダプタと映像表示装置が接続されていると判断された場合、前記第一スイッチ又は第二スイッチが、音声信号をループバックするように切換制御されることを特徴とする請求項４乃至請求項６の何れか１項に記載の映像表示装置。
【手続補正２】
【補正対象書類名】明細書
【補正対象項目名】発明の名称
【補正方法】変更
【補正の内容】
【発明の名称】映像表示装置
【手続補正３】
【補正対象書類名】明細書
【補正対象項目名】０００１
【補正方法】変更
【補正の内容】
【０００１】
本発明は、ＤＶＤプレーヤ等のＡＶソース再生装置からの映像信号と音声信号を無線で受信できる液晶プロジェクタ等の映像表示装置に関する。
【手続補正４】
【補正対象書類名】明細書
【補正対象項目名】００１４
【補正方法】変更
【補正の内容】
【００１４】
本願発明は、上記問題に鑑みなされたものであり、ＡＶソース再生装置から無線により送信された符号化映像信号及び音声信号を無線送受信アダプタを介して受信可能な映像表示装置において、前記映像表示装置は、受信した映像信号と音声信号を復号化する復号化処理手段と、復号化された音声信号をリアルタイムで符号化するリアルタイム符号化手段と、リアルタイム符号化手段により符号化された音声信号を、前記ＡＶソース再生装置に無線により送信するループバック送信手段とを備えていることを特徴とする。
【手続補正５】
【補正対象書類名】明細書
【補正対象項目名】００１５
【補正方法】変更
【補正の内容】
【００１５】
また、上記手段において、前記映像表示装置は音声出力部を備えると共に、受信し復号化されたディジタル音声信号を、前記音声出力部を介して出力するか、前記リアルタイム
符号化手段により符号化し前記ループバック送信手段を介して前記ＡＶソース再生装置に出力するか、を切換える第一スイッチを備えてもよい。
【手続補正６】
【補正対象書類名】明細書
【補正対象項目名】００１６
【補正方法】変更
【補正の内容】
【００１６】
また、上記手段において、前記映像表示装置は音声出力部を備えると共に、受信し復号化されＤ／Ａ変換されたアナログ音声信号を、前記音声出力部を介して出力するか、前記リアルタイム符号化手段により符号化し前記ループバック送信手段を介して前記ＡＶソース再生装置に出力するか、を切換える第二スイッチを備えてもよい。
【手続補正７】
【補正対象書類名】明細書
【補正対象項目名】００１７
【補正方法】変更
【補正の内容】
【００１７】
また、上記手段において、前記第一スイッチ又は第二スイッチの切換えを制御する制御部と、該切換えを自動で行うか手動で行うかを切換えることのできる自動／手動切換えスイッチと、前記無線送受信アダプタと映像表示装置が接続されているかどうかを判断する無線アダプタ装着検出部とを備えてもよい。
【手続補正８】
【補正対象書類名】明細書
【補正対象項目名】００１８
【補正方法】変更
【補正の内容】
【００１８】
また、上記手段において、前記第一スイッチまたは第二スイッチの切換えを行うための手動切換え手段を備えてもよい。
【手続補正９】
【補正対象書類名】明細書
【補正対象項目名】００１９
【補正方法】変更
【補正の内容】
【００１９】
また、上記手段において、前記無線アダプタ装着検出部において、前記無線送受信アダプタと映像表示装置が接続されていないと判断された場合、前記第一スイッチ又は第二スイッチが、音声信号を音声出力部に出力するように切換制御してもよい。
【手続補正１０】
【補正対象書類名】明細書
【補正対象項目名】００２０
【補正方法】変更
【補正の内容】
【００２０】
また、上記手段において、前記無線送受信アダプタとＡＶソース再生装置とのリンクが確立されておらず、且つ前記無線アダプタ装着検出部において、前記無線送受信アダプタと映像表示装置が接続されていると判断された場合、前記第一スイッチ又は第二スイッチが、音声信号を音声出力部に出力するように切換制御してもよい。
【手続補正１１】
【補正対象書類名】明細書
【補正対象項目名】００２１
【補正方法】変更
【補正の内容】
【００２１】
また、上記手段において、前記無線送受信アダプタとＡＶソース再生装置とのリンクが確立されており、且つ前記無線アダプタ装着検出部において、上記無線送受信アダプタと映像表示装置が接続されていると判断された場合、前記第一スイッチ又は第二スイッチが、音声信号をループバックするように切換制御してもよい。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】